(57)【要約】【課題】エネルギー効率を向上できる水素供給システムを提供する。【解決手段】水素供給システム１００は、水素ガスを用いて発電を行う燃料電池部２１と、水素精製器６から排出されるオフガスを燃料電池部２１へ供給するオフガスラインＬ７と、を備えている。従って、水素精製器６から排出されたオフガスは、オフガスラインＬ７を介して燃料電池部２１へ供給される。オフガスには水素ガスが含まれているため、燃料電池部２１はオフガスを供給されることによって発電を行うことができる。このように、水素の精製工程で発生したオフガスを用いた発電を燃料電池部２１で行うことで、外部から燃料などを供給することなく（発電装置を設けて外部から燃料を供給してもよいが、その量を低減できる）、水素供給システム１００内で用いられる電気を供給することが可能となる。【選択図】図１
2015227257.tif 000002
【特許請求の範囲】
【請求項１】
水素の供給を行う水素供給システムであって、
原料を脱水素反応させることによって水素含有ガスを得る脱水素反応部と、
前記水素含有ガスから脱水素生成物を分離する気液分離部と、
前記気液分離部で分離された前記水素含有ガスから前記脱水素生成物を除去し、精製ガスを得る水素精製部と、
水素ガスを用いて発電を行う燃料電池部と、
前記水素精製部から排出されるオフガスを前記燃料電池部へ供給するオフガスラインと、
を備える水素供給システム。
【請求項２】
前記水素精製部から排出される前記精製ガスを圧縮する圧縮部を更に備え、
前記燃料電池部は、発生させた電気を前記圧縮部へ供給する、請求項１に記載の水素供給システム。
【請求項３】
前記気液分離部で分離された前記脱水素生成物を電気を用いて水素化し、前記原料として前記脱水素反応部の上流側へ供給する水素化部を更に備え、
前記燃料電池部は、発生させた電気を前記水素化部へ供給する、請求項１又は２に記載の水素供給システム。
【請求項４】
前記燃料電池部は、発生させた電気を、電気によって移動する移動体へ供給する、請求項１〜３の何れか一項に記載の水素供給システム。
【請求項５】
前記燃料電池部は、発電に伴って発生する熱を前記脱水素反応部へ供給する、請求項１〜４の何れか一項に記載の水素供給システム。
【発明の詳細な説明】
【技術分野】
【０００１】
本発明は、水素の供給を行う水素供給システムに関する。
【背景技術】
【０００２】
従来の水素供給システムとして、例えば特許文献１に挙げるものが知られている。特許文献１の水素供給システムは、原料の芳香族炭化水素の水素化物を貯蔵するタンクと、当該タンクから供給された原料を脱水素反応させることによって水素を得る脱水素反応器と、反応器で得られた水素を気液分離する気液分離器と、気液分離された水素を精製する水素精製器と、を備える。
【先行技術文献】
【特許文献】
【０００３】
【特許文献１】特開２００６−２３２６０７号公報
【発明の概要】
【発明が解決しようとする課題】
【０００４】
ここで、上述のような水素供給システムにおいて、システム内で用いる電気を供給するために、発電装置を設けて、当該発電装置で電気を発生させる場合があった。しかしながら、このような発電装置にて電気を発生させるためには、外部から炭化水素系の燃料などを当該発電装置に供給する必要があった。従って、水素供給システム全体としてのエネルギー効率を更に向上させることが要請されていた。
【０００５】
そこで、本発明は、エネルギー効率を向上させることができる水素供給システムを提供することを目的とする。
【課題を解決するための手段】
【０００６】
本発明に係る水素供給システムは、水素の供給を行う水素供給システムであって、原料を脱水素反応させることによって水素含有ガスを得る脱水素反応部と、水素含有ガスから脱水素生成物を分離する気液分離部と、気液分離部で分離された水素含有ガスから脱水素生成物を除去し、精製ガスを得る水素精製部と、水素ガスを用いて発電を行う燃料電池部と、水素精製部から排出されるオフガスを燃料電池部へ供給するオフガスラインと、を備える。
【０００７】
本発明に係る水素供給システムは、水素ガスを用いて発電を行う燃料電池部と、水素精製部から排出されるオフガスを燃料電池部へ供給するオフガスラインと、を備えている。従って、水素精製部から排出されたオフガスは、オフガスラインを介して燃料電池部へ供給される。オフガスには水素ガスが含まれているため、燃料電池部はオフガスを供給されることによって発電を行うことができる。このように、水素の精製工程で発生したオフガスを発電に用いることで、外部から燃料などを供給することなく（外部から燃料を供給するとしても、その量を低減できる）、水素供給システム内で用いられる電気を供給することが可能となる。以上により、水素供給システムのエネルギー効率を向上させることができる。
【０００８】
本発明に係る水素供給システムは、水素精製部から排出される精製ガスを圧縮する圧縮部を更に備え、燃料電池部は、発生させた電気を圧縮部へ供給してよい。これによって、燃料電池部で発生させた電気を有効に利用することができる。
【０００９】
本発明に係る水素供給システムは、気液分離部で分離された脱水素生成物を電気を用いて水素化し、原料として脱水素反応部の上流側へ供給する水素化部を更に備え、燃料電池部は、発生させた電気を水素化部へ供給してよい。これによって、燃料電池部で発生させた電気を有効に利用することができる。
【００１０】
本発明に係る水素供給システムにおいて、燃料電池部は、発生させた電気を、電気によって移動する移動体へ供給してよい。これによって、燃料電池部で発生させた電気を有効に利用することができる。
【００１１】
本発明に係る水素供給システムにおいて、燃料電池部は、発電に伴って発生する熱を脱水素反応部へ供給してよい。これによって燃料電池部で発生した熱を脱水素反応部における脱水素反応に有効に利用することができる。
【発明の効果】
【００１２】
本発明によれば、水素供給システムのエネルギー効率を向上させることができる。
【図面の簡単な説明】
【００１３】
【図１】本発明の実施形態に係る水素供給システムの構成を示すブロック図である。
【図２】図１に示す燃料電池部の構成を示すブロック図である。
【図３】変形例に係る水素化装置を示す概略構成図である。
【発明を実施するための形態】
【００１４】
以下、本発明の好適な実施形態について、図面を参照して詳細に説明する。なお、以下の説明において同一又は相当部分には同一符号を付し、重複する説明を省略する。
【００１５】
図１は、本実施形態に係る水素供給システムの構成を示すブロック図である。本実施形態に係る水素供給システム１００は、有機化合物（常温で液体）を原料とするものである。なお、水素精製の過程では、原料である有機化合物（常温で液体）を脱水素した、脱水素生成物（有機化合物（常温で液体））が除去される。原料の有機化合物として、例えば、有機ハイドライドが挙げられる。有機ハイドライドは、製油所で大量に生産されている水素を芳香族炭化水素と反応させた水素化物が好適な例である。また、有機ハイドライドは、芳香族の水素化化合物に限らず、２−プロパノール（水素とアセトンが生成される）の系もある。有機ハイドライドは、ガソリンなどと同様に液体燃料としてタンクローリーなどによって水素供給システム１００へ輸送することができる。本実施形態では有機ハイドライドとして、メチルシクロヘキサン（以下、ＭＣＨと称する）を用いる。その他、有機ハイドライドとしてシクロヘキサン、ジメチルシクロヘキサン、エチルシクロヘキサン、デカリン、メチルデカリン、ジメチルデカリン、エチルデカリンなど芳香物炭化水素の水素化物を適用することができる（なお、芳香族化合物は特に水素含有量の多い好適な例である）。水素供給システム１００は、燃料電池自動車（ＦＣＶ）や水素エンジン車に水素を供給することができる。なお、メタンを主成分とした天然ガスやプロパンを主成分としたＬＰＧ、あるいはガソリン、ナフサ、灯油、軽油といった液体炭化水素原料から水素を製造する場合にも適用可能である。
【００１６】
本実施形態では、水素供給システム１００として、ＦＣＶ１０に高純度水素を供給する水素ステーションを例として説明を行う。図１に示すように、本実施形態に係る水素供給システム１００は、ＭＣＨタンク１、気化器２、脱水素反応器（脱水素反応部）３、気液分離器（気液分離部）４、トルエンタンク５、水素精製器（水素精製部）６、圧縮機（圧縮部）７、蓄圧器８、ディスペンサ９、熱源１１、冷熱源１２，１３、水素化装置２０、及び燃料電池部２１を備えている。また、水素供給システム１００は、ラインＬ１〜Ｌ９を備えている。なお、本実施形態では、原料としてＭＣＨを採用し、水素精製の過程で除去される脱水素生成物がトルエンである場合を例として説明する。なお、実際には、トルエンのみならず、未反応のＭＣＨと少量の副生成物及び不純物も存在するが、本実施形態中では、トルエンに混じって当該トルエンと同じ挙動を示す。従って、以下の説明において、「トルエン」と称して説明するものには、未反応のＭＣＨや副生成物も含むものとする。
【００１７】
ラインＬ１〜Ｌ９は、ＭＣＨ、トルエン、水素含有ガス、オフガス、または高純度水素が通過する流路である。ラインＬ１は、ＭＣＨタンク１と気化器２とを接続する。ラインＬ２は、気化器２と脱水素反応器３とを接続する。ラインＬ３は、脱水素反応器３と気液分離器４とを接続する。ラインＬ４は、気液分離器４と水素精製器６とを接続する。ラインＬ５は、気液分離器４とトルエンタンク５とを接続する。ラインＬ６は、水素精製器６と圧縮機７とを接続する。ラインＬ７は、水素精製器６と燃料電池部２１とを接続する。ラインＬ７は、水素精製器６から排出されるオフガスを燃料電池部２１へ供給するオフガスラインとして機能する。以下の説明においては、ラインＬ７を「オフガスラインＬ７」と称して説明する。ラインＬ８は、圧縮機７と蓄圧器８とを接続する。ラインＬ９は、蓄圧器８とディスペンサ９とを接続する。
【００１８】
ＭＣＨタンク１は、原料となるＭＣＨを貯留するタンクである。外部からタンクローリーなどで輸送されたＭＣＨは、ＭＣＨタンク１にて貯留される。ＭＣＨタンク１に貯留されているＭＣＨは、圧縮機（不図示）によってラインＬ１を介して気化器２へ供給される。
【００１９】
気化器２は、インジェクタなどを介してＭＣＨタンク１から供給されたＭＣＨを気化する機器である。気化されたＭＣＨは、オフガスラインＬ７を介して水素精製器６から供給されたオフガスと併せて、ラインＬ２を介して脱水素反応器３へ供給される。
【００２０】
脱水素反応器３は、ＭＣＨを脱水素反応させることによって水素を得る機器である。すなわち、脱水素反応器３は、脱水素触媒を用いた脱水素反応によってＭＣＨから水素を取り出す機器である。有機ハイドライドの反応は可逆反応であり、反応条件（温度、圧力）によって反応の方向が変わる（化学平衡の制約を受ける）。一方、脱水素反応は、常に吸熱反応で分子数が増える反応である。従って、高温、低圧の条件が有利である。脱水素反応は吸熱反応であるため、脱水素反応器３は熱源１１から熱媒体を介して熱を供給される。脱水素反応器３は、脱水素触媒中を流れるＭＣＨと熱源１１からの熱媒体との間で熱交換可能な機構を有している。熱源１１は、脱水素反応器３を加熱することができるものであればどのようなものを採用してもよい。例えば、熱源１１は、脱水素反応器３を直接加熱するものであってもよく、例えば気化器２やラインＬ１，Ｌ２を加熱することによって脱水素反応器３に供給されるＭＣＨを加熱してもよい。また、熱源１１は、脱水素反応器３と、脱水素反応器３へ供給されるＭＣＨの両方を加熱してもよい。例えば、熱源１１としてバーナーやエンジンを採用することができる。脱水素反応器３で取り出された水素含有ガスは、ラインＬ３を介して気液分離器４へ供給される。ラインＬ３の水素含有ガスは、液体であるトルエンを混合物として含んだ状態で、気液分離器４へ供給される。
【００２１】
気液分離器４は、水素含有ガスからトルエンを分離するタンクである。気液分離器４は、混合物としてトルエンを含む水素含有ガスを貯留することによって、気体である水素と液体であるトルエンとを気液分離する。気液分離器４は、冷熱源１２からの冷却媒体によって冷却される。気液分離器４は、気液分離器４中の水素含有ガスと冷熱源１２からの冷却媒体との間で熱交換可能な機構を有している。冷熱源１２は気液分離器４を冷却することができるものであればどのようなものを採用してもよい。例えば、冷熱源１２としてチラー等の冷却器を採用することができる。気液分離器４で分離されたトルエンは、ラインＬ５を介してトルエンタンク５へ供給される。気液分離器４で分離された水素含有ガスは、ラインＬ４を介して水素精製器６へ供給される。なお、水素含有ガスを冷やすと当該ガスの一部（トルエン）は液化し、気液分離器４によって、液化しないガス（水素）と分離することができる。ガスを低温とした方が、分離の効率は良くなり、圧力を上げると更に、トルエンの液化が進む。
【００２２】
トルエンタンク５は、気液分離器４で分離された液体のトルエンを貯留するタンクである。トルエンタンク５に貯留されたトルエンは、水素化装置２０での水素化によってＭＣＨとなり、ＭＣＨタンク１へ供給される。水素化装置２０の構成については後述する。
【００２３】
水素精製器６は、脱水素反応器３で得られると共に気液分離器４で気液分離された水素含有ガスから、脱水素生成物（本実施形態ではトルエン）を除去する。これによって、水素精製器６は、当該水素含有ガスを精製して高純度水素（精製ガス）を得る。得られた高純度水素は、ラインＬ６へ供給され、水素及び脱水素生成物を含むオフガスは、オフガスラインＬ７へ排出される。オフガスラインＬ７へ供給されたオフガスは、図示されない圧縮機を介して気化器２へ供給され、ラインＬ２を介して脱水素反応器３へ供給される。
【００２４】
水素精製器６は、採用する水素精製方法によって異なるが、具体的には、水素精製方法として膜分離を用いる場合には、水素分離膜を備える水素分離装置であり、ＰＳＡ（Ｐｒｅｓｓｕｒｅ  ｓｗｉｎｇ  ａｄｓｏｒｐｔｉｏｎ）法又はＴＳＡ（Ｔｅｍｐｅｒａｔｕｒｅ  ｓｗｉｎｇ  ａｄｓｏｒｐｔｉｏｎ）法を用いる場合には、不純物を吸着する吸着材を格納する吸着塔を複数備えた吸着除去装置である。
【００２５】
水素精製器６が膜分離を用いる場合について説明する。この方法では、所定温度に加熱された膜に、圧縮機（不図示）によって所定圧力に加圧された水素含有ガスを透過させることによって、脱水素生成物を除去し、高純度の水素ガス（精製ガス）を得ることができる。膜を透過した透過ガスの圧力は、膜を透過する前の圧力と比べて低下する。一方、膜を透過しなかった非透過ガスの圧力は、膜を透過する前の所定圧力と略同一である。このとき、膜を透過しなかった非透過ガスが、水素精製器６のオフガスに該当する。
【００２６】
水素精製器６に適用される膜の種類は特に限定されず、多孔質膜（分子流によって分離するもの、表面拡散流によって分離するもの、毛管凝縮作用によって分離するもの、分子ふるい作用によって分離するものなど）や、非多孔質膜を適用することができる。水素精製器６に適用される膜として、例えば、金属膜（ＰｂＡｇ系、ＰｄＣｕ系、Ｎｂ系など）、ゼオライト膜、無機膜（シリカ膜、カーボン膜など）、高分子膜（ポリイミド膜など）を採用することができる。
【００２７】
膜分離による水素精製器６の水素回収率は、７０〜９０％である。水素精製器６で用いられる膜の「水素／トルエン」の分離係数は、１０００以上であることが好ましく、１００００以上であることがより好ましい。
【００２８】
水素精製器６の除去方法として、ＰＳＡ法を採用する場合について説明する。ＰＳＡ法で用いられる吸着材は、高圧下では水素含有ガスに含まれるトルエンを吸着し、低圧下では吸着したトルエンを脱着する性質を持つ。ＰＳＡ法は、吸着材のこのような性質を利用するものである。すなわち、吸着塔内を高圧にすることにより、水素含有ガスに含まれるトルエンを吸着材に吸着させて除去し、高純度の水素ガス（精製ガス）を得る。吸着により吸着塔内の吸着材の吸着機能が低下した場合には、吸着塔内を低圧にすることにより、吸着材に吸着したトルエンを脱着し、併せて除去した精製ガスの一部を逆流させることにより当該脱着されたトルエンを吸着塔内から除去することで、吸着材の吸着機能を再生する（このとき、トルエンを吸着塔内から除去することで排出される少なくとも水素とトルエンを含む水素含有ガスが、水素精製器６からのオフガスに該当する）。
【００２９】
吸着塔内の圧力の調整方法は特に限定されないが、例えば、吸着塔毎に備えられたバルブを閉めるなどの操作により、吸着塔毎に調節することができる。従って、吸着材の吸着機能が低下した吸着塔については、減圧により吸着材を再生させるとともにオフガスを排出する。一方、残りの吸着塔については、加圧により水素含有ガスに含まれるトルエンを吸着材に吸着させて除去するとともに高純度水素を得る。再生中の吸着塔についての吸着材再生が完了したら、当該吸着塔については、加圧によりトルエンの除去を開始するとともに高純度水素を得る。一方、トルエンの除去を行っていた吸着塔の全部または一部については、減圧により吸着材の再生を開始するとともにオフガスを排出する。このように、再生を行う吸着塔とトルエンの除去を行う吸着塔の切り替えを繰り返し行うことで、水素供給システム１００全体として、連続的に高純度水素とオフガスとを得ることができる。水素精製器６がＰＳＡ法を採用する場合の水素回収率は、吸着塔の数によるが、約６０〜９０％である。
【００３０】
水素精製器６の除去方法として、ＴＳＡ法を採用する場合について説明する。ＴＳＡ法で用いられる吸着材は、常温下では水素含有ガスに含まれるトルエンを吸着し、高温下では吸着したトルエンを脱着する性質を持つ。ＴＳＡ法は、吸着材のこのような性質を利用するものである。すなわち、吸着塔内を常温にすることにより、水素含有ガスに含まれるトルエンを吸着材に吸着させて除去し、高純度の水素ガス（高純度水素）を得る。吸着により吸着塔内の吸着材の吸着機能が低下した場合には、吸着塔内を高温にすることにより、吸着材に吸着したトルエンを脱着し、併せて除去した高純度水素の一部を逆流させることにより当該脱着されたトルエンを吸着塔内から除去することで、吸着材の吸着機能を再生する（このとき、トルエンを吸着塔内から除去することで排出される少なくとも水素とトルエンを含む水素含有ガスが、水素精製器６からのオフガスに該当する）。
【００３１】
吸着塔内の温度の調整方法は特に限定されないが、例えば、吸着塔毎に備えられたヒータのＯＮ／ＯＦＦを切り替えるなどの操作により、吸着塔毎に調節することができる。従って、吸着材の吸着機能が低下した吸着塔については、高温にすることにより吸着材を再生させるとともにオフガスを排出する。一方、残りの吸着塔については、常温に保つことにより水素含有ガスに含まれるトルエンを吸着材に吸着させて除去するとともに高純度水素を得る。再生中の吸着塔についての吸着材再生が完了したら、当該吸着塔については、吸着塔内を常温に保つことによりトルエンの除去を開始するとともに高純度水素を得る。一方、トルエンの除去を行っていた吸着塔の全部または一部については、吸着塔内を高温にすることにより吸着材の再生を開始するとともにオフガスを排出する。このように、再生を行う吸着塔とトルエンの除去を行う吸着塔の切り替えを繰り返し行うことで、水素供給システム１００全体として、連続的に高純度水素とオフガスとを得ることができる。水素精製器６がＴＳＡ法を採用する場合の水素回収率は、吸着塔の数によるが、約６０〜９０％である。
【００３２】
圧縮機７は、水素精製器６で得られた高純度水素を高圧状態とする。圧縮機７は、例えば、２０〜９０ＭＰａの圧力で高純度水素を高圧状態とする。圧縮機７は、高純度水素をＦＣＶ１０へ供給可能とするために高圧状態にした上で、ラインＬ８を介して蓄圧器８へ供給する。なお、目的とする圧力に応じて、圧縮を行う圧縮ユニットを複数備え、段階的に圧縮を行う構成としてもよい。
【００３３】
蓄圧器８は、高純度水素を高圧状態のまま蓄える。蓄圧器８で蓄えられた高純度水素は、ラインＬ９を介して、ディスペンサ９によってＦＣＶ１０に供給される。蓄圧器８により、水素供給システム１００内にある程度の量の高純度水素を蓄えておくことができるため、ＦＣＶ１０へ水素を安定供給することが可能となる。ただし、蓄圧器８は、水素供給を行うために必須ではないため、省略してもよい。ラインＬ９を通過する高純度水素は、冷熱源１３からの冷却媒体によって冷却される。ラインＬ９は、当該ラインＬ９を流れる高純度水素と冷熱源１３からの冷却媒体との間で熱交換可能な機構を有している。冷熱源１３はラインＬ９を流れる高純度水素を冷却することができるものであればどのようなものを採用してもよい。例えば、冷熱源１３としてチラー等の冷却器を採用することができる。
【００３４】
次に、本実施形態に係る水素供給システム１００の要部について説明する。水素化装置（水素化部）２０は、トルエンタンク５に貯蔵されているトルエン（脱水素生成物）を、水素ガスを発生させることなく水素化し、ＭＣＨ（原料）としてＭＣＨタンクへ供給する装置である。水素化装置２０は、ラインＬ１０を介してトルエンタンク５と接続されている。また、水素化装置２０は、ラインＬ１１を介してＭＣＨタンク１と接続されている。水素化装置２０は、電気を用いてトルエンを水素化する。このような構成により、トルエンタンク５に貯蔵されたトルエンは、ラインＬ１０を介して水素化装置２０へ供給される。また、水素化装置２０でトルエンを水素化することによって得られたＭＣＨは、ラインＬ１１を介してＭＣＨタンク１へ供給される。なお、水素化のために用いられる電気は、後述の燃料電池部２１から供給されてよい。ただし、水素化のために用いられる電気の一部は、例えば太陽光発電機、風力発電機、水力発電機、地熱発電機、潮力発電機等の再生可能エネルギーを用いて発電されてよい。また、水素化装置２０がトルエンの水素化を行うタイミングは特に限定されない。例えば、トルエンタンク５内に所定量のトルエンが貯蔵されたタイミングで水素化装置２０を運転してもよく、トルエンタンク５に新たなトルエンが供給され続けている間は常時水素化装置２０を運転させてもよい。
【００３５】
なお、水素化装置２０へ流れるトルエンは、トルエンタンク５から取り出されなくともよく、例えば、ラインＬ５から取り出されてもよく、気液分離器４から直接取り出されてもよい。また、水素化装置２０で得られた原料は、脱水素反応器３の上流側である限りＭＣＨタンク１へ供給されなくともよく、ラインＬ１や気化器２へ供給されてもよい。
【００３６】
例えば、水素化装置２０は、水を含む電解質を保持する酸化槽と、トルエン（脱水素生成物）を保持する還元槽と、イオン透過能を有する電解質膜と、酸化槽に保持される水からプロトンを生成する酸化極と、還元槽に保持される脱水素生成物を水素化する還元極と、を備えていてよい。電解質膜は、酸化槽に保持される電解質と還元槽に保持される脱水素生成物とを隔てている。このような水素化装置２０では、酸化極で酸素を生成させると共に、酸化極から還元極へ供給される電子と、酸化槽内に生成したプロトンと、トルエンとを反応させて、トルエンを水素化する。すなわち、水素化装置２０では、水の電気分解による水素ガスの発生を実質的に経由することなく、水に由来する水素をトルエンに付加して、有機ハイドライドを形成することが可能となる。上述した有機化合物の水素化は、下記化学反応式（１）のように表すことができる。
Ｕ（ｎ）＋ｘＨ２Ｏ  →  Ｕ（ｎ−ｘ）＋（ｘ／２）Ｏ２      （１）
式（１）中、Ｕ（ｎ）は不飽和化合物（すなわちトルエン）を表し、ｎはＵ（ｎ）が有する不飽和結合の数を表す１以上の整数であり、ｘは１以上ｎ以下の整数であり、Ｕ（ｎ−ｘ）は２ｘ個の水素原子が付加されたＵ（ｎ）を表し、ｎ−ｘはＵ（ｎ−ｘ）が有する不飽和結合の数を表す整数である。Ｕ（ｎ）が完全に水素化される場合、ｘはｎに等しく、Ｕ（ｎ−ｘ）はＵ（０）、すなわち不飽和結合の無い化合物である。
【００３７】
あるいは、水素化装置２０は、表面に光触媒を備える第一電極と、第一電極と電気的に接続された第二電極を、水を含んだ電解質と接触させた状態において、光触媒に光を照射することにより、脱水素生成物を水素化してもよい。このような水素化装置２０は、表面に光触媒を備える酸化極と、酸化極と電気的に接続された還元極（第二電極）を、水を含んだ電解質と接触させた状態において、光触媒に光を照射することにより、脱水素生成物を水素化する。これによって、水素ガスを発生させることなく、効率よく脱水素生成物の水素化を行うことができる。具体的には、第一電極の光触媒に太陽光を照射することにより、光触媒に形成された正孔でＯＨ−を酸化して酸素ガスを生成させると共に、第一電極から第二電極へ供給される電子と、支持電解質に存在するＨ＋と、不飽和化合物（トルエン）とを反応させて、不飽和化合物Ｕ（ｎ）を水素化する。すなわち、水の電気分解又は光分解による水素ガスの発生を実質的に経由することなく、太陽エネルギーをエネルギー源として、水に由来する水素を不飽和化合物に直接付加して、有機ハイドライドを形成することが可能となる。
【００３８】
あるいは、水素化装置２０は、電気分解によって水素ガスを発生させ、当該水素ガスとトルエンとを水素化触媒に流すことによって、トルエンの水素化を行うものであってもよい。
【００３９】
燃料電池部２１は、オフガスラインＬ７を介して水素精製器６から排出されたオフガスを供給される。燃料電池部２１は、オフガスに含まれる水素ガスを用いて発電を行うことができる。例えば、オフガスには５０〜９９％の水素ガスが含有されている。燃料電池部２１は、発生させた電気を水素供給システム１００内で用いてよい。例えば、燃料電池部２１は、システム内の電気機器である圧縮機７へ電気を供給してよい。また、燃料電池部２１は、システム内の電気機器である水素化装置２０に電気を供給してよい。その他、燃料電池部２１は、システム内の電気機器としてあらゆるものに電気を供給してよい。また、燃料電池部２１は、システム外の機器であるＦＣＶ（電気によって移動する移動体）１０に電気を供給してもよい。燃料電池部２１は定格運転を行うことが好ましい。従って、例えば燃料電池部２１は、圧縮機７等の電気機器へ電気を供給し、電気が余る場合に、水素化装置２０へ電気を供給してよい。
【００４０】
また、燃料電池部２１は、発電に伴って発生した熱を水素供給システム１００内で用いてよい。例えば、燃料電池部２１は、脱水素反応器３へ熱を供給してよい。その他、燃料電池部２１は、熱を用いるあらゆるものへ熱を供給してもよい。なお、燃料電池部２１の種類は特に限定されず、ＳＯＦＣ（固体酸化物形燃料電池）、ＰＥＦＣ（固体高分子形燃料電池）、ＰＡＦＣ（りん酸形燃料電池）を採用してよい。燃料電池部２１としてＳＯＦＣを採用した場合は、排熱を利用して効率的に脱水素反応器３を加熱することができる。
【００４１】
図２は、燃料電池部２１の構成の一例を示すブロック図である。図２に示すように、燃料電池３１は、水素精製器６からのオフガス（水素ガス）及び酸化剤供給部３５からの酸化剤を用いて発電を行う。燃料電池部２１は、オフガスが供給されるアノード３２と、酸化剤が供給されるカソード３４と、アノード３２とカソード３４との間に配置される電解質３３と、を備えている。燃料電池部２１は、パワーコンディショナー（不図示）を介して、電気を上述で説明した電気機器などへ供給する。燃料電池部２１は、発電に用いられなかった水素ガス及び酸化剤をオフガスとして、オフガス燃焼部３６へ供給する。オフガス燃焼部３６は、燃料電池３１から供給されるオフガスを燃焼させる。オフガス燃焼部３６によって発生する熱は、脱水素反応器３へ供給される。なお、燃料電池部２１は、炭化水素系の燃料を改質することによって水素ガスを生成する改質器を備えていてもよい。これにより、水素精製器６からのオフガスの量が不十分である場合に改質器で生成した水素ガスをアノード３２へ供給してよい。
【００４２】
次に、本実施形態に係る水素供給システム１００の作用・効果について説明する。
【００４３】
まず、図３を参照して従来の水素供給システム５０について説明する。水素供給システム５０は、本実施形態に係る水素供給システム１００のように燃料電池部２１を備えていない。このような水素供給システム５０では、システム内で用いる電気を供給するために、発電装置を設けて、当該発電装置で電気を発生させる必要があった。しかしながら、このような発電装置にて電気を発生させるためには、外部から炭化水素系の燃料などを当該発電装置に供給する必要があった。従って、水素供給システム５０全体としてのエネルギー効率を更に向上させることが要請されていた。
【００４４】
そこで、本実施形態に係る水素供給システム１００は、水素ガスを用いて発電を行う燃料電池部２１と、水素精製器６から排出されるオフガスを燃料電池部２１へ供給するオフガスラインＬ７と、を備えている。従って、水素精製器６から排出されたオフガスは、オフガスラインＬ７を介して燃料電池部２１へ供給される。オフガスには水素ガスが含まれているため、燃料電池部２１はオフガスを供給されることによって発電を行うことができる。このように、水素の精製工程で発生したオフガスを発電に用いることで、外部から燃料などを供給することなく（発電装置を設けて外部から燃料を供給してもよいが、その量を低減できる）、水素供給システム１００内で用いられる電気を供給することが可能となる。以上により、水素供給システム１００のエネルギー効率を向上させることができる。
【００４５】
本実施形態に係る水素供給システム１００において、燃料電池部２１は、発生させた電気を圧縮機７へ供給する。これによって、燃料電池部２１で発生させた電気を有効に利用することができる。
【００４６】
本実施形態に係る水素供給システム１００において、燃料電池部２１は、発生させた電気を水素化装置２０へ供給してよい。これによって、燃料電池部２１で発生させた電気を有効に利用することができる。
【００４７】
本実施形態に係る水素供給システム１００において、燃料電池部２１は、発生させた電気を、電気を動力として移動するＦＣＶ１０へ供給してよい。これによって、燃料電池部２１で発生させた電気を有効に利用することができる。
【００４８】
本実施形態に係る水素供給システム１００において、燃料電池部２１は、発電に伴って発生する熱を脱水素反応器３へ供給してよい。これによって燃料電池部２１で発生した熱を脱水素反応器３における脱水素反応に有効に利用することができる。
【００４９】
本発明は、上述の実施形態に限定されるものではない。例えば、本実施形態では燃料電池部２１の電気の供給先として水素化装置２０を例示したが、水素供給システムから水素化装置２０を省略してもよい。また、水素精製器６の一部を燃料電池部２１へ供給し、一部を脱水素反応器３の上流側へ供給してもよい。
【符号の説明】
【００５０】
１…ＭＣＨタンク、２…気化器、３…脱水素反応器（脱水素反応部）、４…気液分離器（気液分離部）、５…トルエンタンク、６…水素精製器（水素精製部）、７…圧縮機（圧縮部）、８…蓄圧器、９…ディスペンサ、１０…ＦＣＶ（移動体）、１１…熱源、１２，１３…冷熱源、２０…水素化装置、２１…燃料電池部、１００…水素供給システム。
【図１】
2015227257.tif 000003
【図２】
2015227257.tif 000004
【図３】
2015227257.tif 000005